(57)【要約】【課題】  機器の構造体でシャフトを支持し、そのシャフトを中心として機器運搬用のレバー取手を、垂直な格納状態と、その状態から重力に抗して先端を引き出した水平な使用状態との間で、揺動自在に保持するレバー取手保持装置において、構造体に歪みを生ずることなくレバー取手を堅固に保持可能とする。【解決手段】  構造体６０を構成する側板６１に、その側板より強度の高い高張力鋼板製などの補強ブラケット６７を取り付け、その補強ブラケットと側板６１とでシャフト７８を支持し、そのシャフトでレバー取手１１８を保持する。補強ブラケットは、板材の両側を直角に折り曲げて連結板部６９を挟んで両側に平行な対向板部７０を有する断面コの字型に形成し、その一対の対向板部の対向する位置にシャフト孔７１をあけ、それらのシャフト孔に通してシャフトを支持する。【選択図】      図５
2006209049.tif 000002
【特許請求の範囲】
【請求項１】
機器の構造体でシャフトを支持し、そのシャフトを中心として機器運搬用のレバー取手を、垂直な格納状態と、その状態から重力に抗して先端を引き出した水平な使用状態との間で、揺動自在に保持するレバー取手保持装置において、
前記構造体を構成する側板に補強ブラケットを取り付け、その補強ブラケットと前記側板とで前記シャフトを支持してそのシャフトでレバー取手を保持することを特徴とする、レバー取手保持装置。
【請求項２】
前記補強ブラケットを、高張力鋼板を用いてつくることを特徴とする、請求項１に記載のレバー取手保持装置。
【請求項３】
前記補強ブラケットを、板材の両側を直角に折り曲げて連結板部を挟んで両側に平行な対向板部を有する断面コの字型に形成し、その一対の対向板部の対向する位置にシャフト孔をあけ、それらのシャフト孔に通して前記シャフトを支持することを特徴とする、請求項１または２に記載のレバー取手保持装置。
【請求項４】
前記構造体を構成する側板の板面に、前記一対の対向板部の一方を重ね合わせて前記補強ブラケットを取り付けることを特徴とする、請求項３に記載のレバー取手保持装置。
【請求項５】
前記構造体を構成する側板に補強ブラケットを、複数の固定ねじを用いて取り付けることを特徴とする、請求項１ないし４のいずれか１に記載のレバー取手保持装置。
【請求項６】
前記構造体を構成する側板に補強ブラケットを掛け止めて取り付け取り外し容易に取り付けることを特徴とする、請求項１ないし４のいずれか１に記載のレバー取手保持装置。
【請求項７】
前記補強ブラケットに、前記レバー取手を前記水平な使用状態まで揺動したときそのレバー取手が突き当たる突き当て部を形成することを特徴とする、請求項１ないし６のいずれか１に記載のレバー取手保持装置。
【請求項８】
前記構造体を構成する側板の側縁を外向きに折り曲げて垂直な折曲片部を形成し、その折曲片部に前記補強ブラケットを取り付けることを特徴とする、請求項１ないし７のいずれか１に記載のレバー取手保持装置。
【請求項９】
前記折曲片部の板面を内側に凹ませ、その凹ませた部分に前記補強ブラケットを取り付けることを特徴とする、請求項８に記載のレバー取手保持装置。
【請求項１０】
前記構造体を構成する側板に第２の補強ブラケットを取り付け、その第２の補強ブラケットにシャフト孔をあけてそのシャフト孔に前記シャフトを通し、シャフトの軸方向と直交する方向の動きを規制することを特徴とする、請求項１ないし９のいずれか１に記載のレバー取手保持装置。
【請求項１１】
前記構造体を構成する側板に補強ステーを水平に取り付け、その補強ステーにも前記第２の補強ブラケットを取り付けることを特徴とする、請求項８に記載のレバー取手保持装置。
【請求項１２】
前記レバー取手を、前記シャフトで支持する鋼板製本体部材と、前記垂直な格納状態で外側を覆うように前記本体部材に取り付ける樹脂製カバー部材とで構成することを特徴とする、請求項１ないし１１のいずれか１に記載のレバー取手保持装置。
【請求項１３】
前記レバー取手を持ったとき、そのレバー取手の、指が当たる位置を波形状に形成することを特徴とする、請求項１ないし１２のいずれか１に記載のレバー取手保持装置。
【請求項１４】
複数の運搬用取手のうちの少なくとも１つを、請求項１ないし１３のいずれか１に記載のレバー取手保持装置で保持するレバー取手とすることを特徴とする、画像形成装置。
【請求項１５】
前記複数の運搬用取手をほぼ同じ高さ位置に設けることを特徴とする、請求項１４に記載の画像形成装置。
【請求項１６】
前記レバー取手を前記垂直な格納状態としたとき、そのレバー取手の外面を画像形成装置本体の外装カバーと外観的に一体化することを特徴とする、請求項１４または１５に記載の画像形成装置。
【請求項１７】
前記レバー取手を前記垂直な格納状態としたとき、そのレバー取手の先端を画像形成装置本体の外装カバーから突出することを特徴とする、請求項１４ないし１６のいずれか１に記載の画像形成装置。
【請求項１８】
画像形成装置本体の外装カバーを開いたとき、前記レバー取手を前記垂直な格納状態から前記水平な使用状態に揺動することを禁止することを特徴とする、請求項１４ないし１７のいずれか１に記載の画像形成装置。
【請求項１９】
機器の構造体を構成する側板に補強ブラケットを取り付け、その補強ブラケットと前記側板とでシャフトを支持し、そのシャフトを中心として機器運搬用のレバー取手を、垂直な格納状態と、その状態から重力に抗して先端を引き出した水平な使用状態との間で、揺動自在に保持することを特徴とする、レバー取手保持方法。
【請求項２０】
前記補強ブラケットを取り付けるときは、前記機器の構造体を構成する側板に対し、前記補強ブラケットを掛け止めて取り付けることを特徴とする、請求項１９に記載のレバー取手保持方法。
【発明の詳細な説明】
【技術分野】
【０００１】
この発明は、複写機、プリンタ、ファクシミリまたはそれらの複合機などの画像形成装置に関する。ならびに、そのような画像形成装置などの比較的重量のある機器には、その機器を持ち運ぶときに手を掛ける取手を設けるが、そのような取手のうち、特にシャフトを中心として格納状態と使用状態との間で揺動するレバー取手に関し、そのレバー取手を保持するレバー取手保持装置、およびそのレバー取手保持方法に関する。
【背景技術】
【０００２】
従来、画像形成装置などの重量のある機器では、運搬のときに手を掛けることができるように、はじめから機器本体に突出して設ける出っ張り式取手や、外装カバーに凹所を設けた掘り込み式取手や、棒状のものを機器本体に対し出し入れ自在に備えて使用時には引き出して使用する神輿式取手、パイプ式取手などを備えていた。
【０００３】
しかしながら、出っ張り式取手のように常時機器本体から突出して設ける取手では、その出っ張り分、機器の設置スペースが大きくなるなどの問題があった。反対に、掘り込み式取手のように外装カバーに凹所を有する取手では、持ちにくいだけではなく、機器の大きさをそのまま保持しようとすると、どうしても凹所の凹み分だけ機器本体内のスペースを減ずることとなり、設計を難しくするなどの問題があった。
【０００４】
そこで、神輿式取手やパイプ式取手のように常時は格納し運搬時に引き出して使用する取手が、持ち易さの点などからも、より好ましかった。しかし、このような取手では、使用後に格納状態に戻し忘れて、取手に身体の一部を引っ掛けて怪我をしたり、洋服を引っ掛けて破いたりするなどの問題があった。
【０００５】
このため、この種の従来の取手の中には、復帰スプリング等を備えて取手から手を離したとき取手が元の位置に復帰するようにしたものがある。しかしながら、このような取手では、復帰スプリング等を別途必要とすることから、部品点数が増加してコスト高となるなどの問題があった。
【０００６】
このようなことから、従来の取手の中には、機器の構造体でシャフトを支持し、そのシャフトを中心として機器運搬用のレバー取手を、垂直な格納状態と、その状態から重力に抗して先端を引き出した水平な使用状態との間で、揺動自在に保持するものがある。そして、運搬時は、重力に抗して先端を引き出した水平な使用状態とし、運搬後に取手から手を離したときは、取手を重力で元の垂直な格納状態に戻すようにしていた。このようなレバー取手保持装置では、格納時に機器本体内に深く押し込まないから、機器本体内に余裕がない場所にも、外装カバーの表面に沿うように配置して比較的容易に設けることができた。
【０００７】
【特許文献１】特開２０００-２５８９６９号公報
【特許文献２】特開２０００-０２９２６２号公報
【特許文献３】特開２０００-３３８８１５号公報
【特許文献４】特開２０００-２７５９２３号公報
【発明の開示】
【発明が解決しようとする課題】
【０００８】
ところが、この種のレバー取手は、常に機器を運搬するときに使用されるだけではなく、現実には、例えば機器の向きを変えるときに取手に手を掛けて引っ張ることもあった。このような場合には、取手に対しその揺動方向と直交する方向の荷重が加わることもあり、シャフトを支持する構造体に歪みを生じて、例えば画像形成装置にあっては画像品質が低下する問題があった。
【０００９】
そこで、この発明の第１の目的は、機器の構造体でシャフトを支持し、そのシャフトを中心として機器運搬用のレバー取手を、垂直な格納状態と、その状態から重力に抗して先端を引き出した水平な使用状態との間で、揺動自在に保持するレバー取手保持装置において、構造体に歪みを生ずることなくレバー取手を堅固に保持可能とすることにある。
【００１０】
この発明の第２の目的は、同様なレバー取手保持装置において、レバー取手を保持する補強ブラケット自身の強度を高め、より一層レバー取手を堅固に保持可能とすることにある。
【００１１】
この発明の第３の目的は、同様なレバー取手保持装置において、レバー取手を保持する補強ブラケットを構造体と一体化して強度を高め、より一層レバー取手を堅固に保持可能とすることにある。
【００１２】
ところが、重量のある機器の中には、外装カバーに掘り込み式取手などを備えるものがある。そのような機器では、外装カバーを取り付けた状態では、掘り込み式取手に手を掛けて持ち運びすることができるが、外装カバーの取り付け前とか外装カバーを取り外した状態とかでは、手を掛けるところがなく、持ち運びが難しくなる。外装カバー取り付け前の製造中や外装カバーを取り外したサービス時などにも、機器の移動が必要な場合もある。このようなとき、安易に機器の突起物を掴んで移動しようとすると、強度的に不足して機器を壊したり、手が滑って機器を落下したりするなどの問題があった。
【００１３】
そこで、この発明の第４の目的は、同様なレバー取手保持装置において、掘り込み式取手などを有する外装カバーを取り付けていない状態で、所望によりレバー取手を取り付けて機器の運搬を可能とすることにある。
【００１４】
この発明の第５の目的は、同様なレバー取手保持装置において、構造体を構成する側板の強度を高め、より一層レバー取手を堅固に保持可能とすることにある。
【００１５】
この発明の第６の目的は、同様なレバー取手保持装置において、レバー取手を取り付けた部分が膨らまないようにし、機器の外装カバーの外観を良好とすることにある。
【００１６】
この発明の第７の目的は、同様なレバー取手保持装置において、補強部材を追加して、より一層レバー取手を堅固に保持することにある。
【００１７】
この発明の第８の目的は、同様なレバー取手保持装置において、レバー取手の強度面と外観面の双方を満足することにある。
【００１８】
この発明の第９の目的は、同様なレバー取手保持装置において、手がレバー取手にフィットして滑りにくくすることにある。
【００１９】
この発明の第１０の目的は、画像形成装置において、複数の運搬用取手をそれぞれの場所に適した形態の取手を配置することにある。
【００２０】
この発明の第１１の目的は、そのような画像形成装置において、運搬用取手の形態が場所によって相違しても、それらの取手を用いての持ち運びを容易とすることにある。
【００２１】
この発明の第１２の目的は、レバー取手を用いる画像形成装置において、レバー取手を格納状態としたときの外観を良好とすることにある。
【００２２】
この発明の第１３の目的は、レバー取手を用いる画像形成装置において、運搬時にレバー取手の位置がわかりやすいとともに、レバー取手に指を掛けて使用状態まで揺動しやすくすることにある。
【００２３】
ところで、画像形成装置本体の外装カバーを開けた状態では、画像形成装置本体の重心が移動して取手を持ったときバランスが悪くなり、画像形成装置本体を安定的に運搬できなくなる問題があった。
【００２４】
そこで、この発明の第１４の目的は、同様な画像形成装置において、取手を持った場合にバランスが悪いときには、画像形成装置本体の運搬を禁止することにある。
【００２５】
この発明の第１５の目的は、構造体に歪みを生ずることなくレバー取手を堅固に保持することができるレバー取手保持方法を提供することにある。
【００２６】
この発明の第１６の目的は、掘り込み式取手などを有する外装カバーを取り付けていない状態で、所望によりレバー取手を取り付けて機器の運搬を可能とするレバー取手保持方法を提供することにある。
【課題を解決するための手段】
【００２７】
そのため、請求項１ないし１３に記載の発明は、上述した第１の目的を達成すべく、画像形成装置等の機器内に備えて、構成部品や収納装置やユニットなどを位置決め保持する構造体で、支軸となるシャフトを支持し、そのシャフトを中心として機器運搬用のレバー取手を、重力に基づき垂れ下げた垂直な格納状態と、その状態から重力に抗して先端を引き出した水平な使用状態との間で、揺動自在に保持するレバー取手保持装置において、
前記構造体を構成する側板に、その側板より強度の高い補強ブラケットを取り付け、その補強ブラケットと前記側板とで前記シャフトを支持してそのシャフトでレバー取手を保持する。
【００２８】
ここで、補強ブラケットは、第２の目的を達成すべく、高張力鋼板を用いてつくるとよく、また板材の両側を直角に折り曲げて連結板部を挟んで両側に平行な対向板部を有する断面コの字型に形成し、その一対の対向板部の対向する位置にシャフト孔をあけ、それらのシャフト孔に通してシャフトを支持するとよい。さらにまた、補強ブラケットには、第２の目的を達成すべく、レバー取手を水平な使用状態まで揺動したとき、そのレバー取手が突き当たる突き当て部を形成するとよい。
【００２９】
さらに、補強ブラケットは、第３の目的を達成すべく、構造体を構成する側板の板面に一対の対向板部の一方を重ね合わせて取り付けるとよく、また構造体を構成する側板に複数の固定ねじを用いて取り付けるとよい。またさらに、補強ブラケットは、第４の目的を達成すべく、構造体を構成する側板に掛け止めて取り付け取り外し容易に取り付けるとよい。
【００３０】
一方、構造体を構成する側板は、第５の目的を達成すべく、その側縁を外向きに折り曲げて垂直な折曲片部を形成し、その折曲片部に補強ブラケットを取り付けるとよい。また、第６の目的を達成すべく、その折曲片部の板面を内側に凹ませ、その凹ませた部分に補強ブラケットを取り付けるとよい。
【００３１】
さらには、第７の目的を達成すべく、構造体を構成する側板に第２の補強ブラケットを取り付け、その第２の補強ブラケットにシャフト孔をあけてそのシャフト孔にシャフトを通し、シャフトの軸方向と直交する方向の動きを規制するとよく、また構造体を構成する側板に補強ステーを水平に取り付け、その補強ステーにも第２の補強ブラケットを取り付けるとよい。
【００３２】
他方、レバー取手は、第８の目的を達成すべく、シャフトで支持する鋼板製本体部材と、垂直な格納状態で外側を覆うように本体部材に取り付ける樹脂製カバー部材とで構成するとよい。また、第９の目的を達成すべく、レバー取手を持ったとき、そのレバー取手の、指が当たる位置を波形状に形成するとよい。
【００３３】
請求項１４ないし１８に記載の発明は、第１０の目的を達成すべく、画像形成装置において、複数の運搬用取手のうちの少なくとも１つを、請求項１ないし１３のいずれか１に記載のレバー取手保持装置で保持するレバー取手とする。
【００３４】
そのような画像形成装置において、第１１の目的を達成すべく、複数の運搬用取手をほぼ同じ高さ位置に設けるとよい。また、第１２の目的を達成すべく、レバー取手を垂直な格納状態としたとき、そのレバー取手の外面を画像形成装置本体の外装カバーと、例えば形状面や材質面で合わせて外観的に一体化するとよい。さらに、第１３の目的を達成すべく、レバー取手を前記垂直な格納状態としたとき、そのレバー取手の先端を画像形成装置本体の外装カバーから突出するとよい。またさらに、第１４の目的を達成すべく、画像形成装置本体の外装カバーを開いたとき、レバー取手を垂直な格納状態から水平な使用状態に揺動することを禁止するとよい。
【００３５】
請求項１９および２０に記載の発明は、第１５の目的を達成すべく、機器の構造体を構成する側板に補強ブラケットを取り付け、その補強ブラケットと側板とでシャフトを支持し、そのシャフトを中心として機器運搬用のレバー取手を、垂直な格納状態と、その状態から重力に抗して先端を引き出した水平な使用状態との間で、揺動自在に保持する、レバー取手保持方法である。
【００３６】
このレバー取手保持方法では、第１６の目的を達成すべく、補強ブラケットを取り付けるときは、機器の構造体を構成する側板に対し、補強ブラケットを掛け止めて取り付けるようにするとよい。
【発明の効果】
【００３７】
したがって、請求項１に記載の発明によれば、レバー取手を揺動自在に支持するシャフトを、補強ブラケットと、構造体を構成する側板とで支持するので、側板より強度の高い補強ブラケットを用いて、省スペースでレバー取手を堅固に保持することができる。そして、例えばレバー取手の揺動方向と直交する方向の荷重が加わったときにも、構造体に歪みを生ずることなく、例えば画像形成装置にあっては画像品質が低下するなどの問題を発生することがない。
【００３８】
請求項２に記載の発明によれば、補強ブラケットを、高張力鋼板を用いてつくるので、レバー取手を保持する補強ブラケット自身の強度を材質的に高め、より一層レバー取手を堅固に保持することができる。
【００３９】
請求項３に記載の発明によれば、補強ブラケットを、板材の両側を直角に折り曲げて連結板部を挟んで両側に平行な対向板部を有する断面コの字型に形成するので、同様に、レバー取手を保持する補強ブラケット自身の強度を形状的に高め、より一層レバー取手を堅固に保持することができる。
【００４０】
請求項４に記載の発明によれば、構造体を構成する側板の板面に一対の対向板部の一方を重ね合わせて補強ブラケットを取り付けるので、レバーを保持する補強ブラケットを構造体と重ね合わせて一体化することにより応力を分散して強度を高め、より一層レバー取手を堅固に保持することができる。
【００４１】
請求項５に記載の発明によれば、構造体を構成する側板に補強ブラケットを、複数の固定ねじを用いて取り付けるので、同様に、レバーを保持する補強ブラケットを構造体と複数の固定ねじで一体化することにより応力を分散して強度を高め、より一層レバー取手を堅固に保持することができる。
【００４２】
請求項６に記載の発明によれば、構造体を構成する側板に補強ブラケットを掛け止めて取り付けるので、取り付け取り外し容易とし、機器本体の外装カバーに掘り込み式取手などを備える機器にあって、外装カバーを取り付けていないときにも、レバー取手を取り付けることにより簡単に移動可能とすることができる。そして、運搬後は、レバー取手を取り外し、取り付いたままでそのレバー取手が邪魔になることを防ぐことができる。
【００４３】
請求項７に記載の発明によれば、補強ブラケットに、レバー取手を水平な使用状態まで揺動したとき、そのレバー取手が突き当たる突き当て部を形成するので、強度のある補強ブラケットで荷重を受けて構造体に歪みを生ずることなく、より一層レバー取手を堅固に保持することができる。
【００４４】
請求項８に記載の発明によれば、構造体を構成する側板の側縁を外向きに折り曲げて垂直な折曲片部を形成し、その折曲片部に補強ブラケットを取り付けるので、構造体を構成する側板の強度を高め、補強ブラケットをしっかりと保持してより一層レバー取手を堅固に保持することができる。
【００４５】
請求項９に記載の発明によれば、折曲片部の板面を内側に凹ませ、その凹ませた部分に補強ブラケットを取り付けるので、補強ブラケットが凹ませた部分に入り込んでレバー取手を取り付けた部分が膨らまないようにし、コンパクトにするとともに機器の外装カバーの外観を良好とすることができる。
【００４６】
請求項１０に記載の発明によれば、構造体を構成する側板に第２の補強ブラケットを取り付け、その第２の補強ブラケットにシャフト孔をあけてそのシャフト孔にシャフトを通し、シャフトの軸方向と直交する方向の動きを規制するので、第１の補強部材に加えて第２の補強部材でもシャフトを確実に保持して、より一層レバー取手を堅固に保持することができる。
【００４７】
請求項１１に記載の発明によれば、構造体を構成する側板に補強ステーを水平に取り付け、その補強ステーにも第２の補強ブラケットを取り付けるので、第２の補強ブラケットを側板だけではなく補強ステーにも取り付けて堅牢に支持し、シャフトを確実に保持して、より一層レバー取手を堅固に保持することができる。
【００４８】
請求項１２に記載の発明によれば、シャフトで支持する鋼板製本体部材と、垂直な格納状態で外側を覆うように本体部材に取り付ける樹脂製カバー部材とで構成するので、鋼板製本体部材で強度を保持し、樹脂製カバー部材で外観を良好に保持することができる。
【００４９】
請求項１３に記載の発明によれば、レバー取手を持ったとき、そのレバー取手の、指が当たる位置を波形状に形成するので、手がレバー取手にフィットして滑りにくくすることができる。
【００５０】
請求項１４に記載の発明によれば、画像形成装置において、複数の運搬用取手のうちの少なくとも１つを、請求項１ないし１３のいずれか１に記載のレバー取手保持装置で保持するレバー取手とするので、スペース的に余裕がないところにはレバー取手を堅固に保持して揺動自在に設け、その他のところにはそれぞれの場所に適した形態の運搬用取手を選択して配置することができる。
【００５１】
請求項１５に記載の発明によれば、複数の運搬用取手をほぼ同じ高さ位置に設けるので、それぞれの場所に適した形態の運搬用取手を選択して配置した場合にも、それらの取手を用いての持ち運びを容易とすることができる。
【００５２】
請求項１６に記載の発明によれば、レバー取手を垂直な格納状態としたとき、そのレバー取手の外面を画像形成装置本体の外装カバーと面一としたり、レバー取手と外装カバーの材質を同じとしたりし、例えば形状面や材質面で合わせて外観的に一体化するので、レバー取手を格納状態とした通常時の外観を良好とすることができる。
【００５３】
請求項１７に記載の発明によれば、レバー取手を垂直な格納状態としたとき、そのレバー取手の先端を画像形成装置本体の外装カバーから突出するので、レバー取手の位置がわかりやすいとともに、運搬時にレバー取手に指を掛けて使用状態まで揺動しやすくすることができる。
【００５４】
請求項１８に記載の発明によれば、画像形成装置本体の外装カバーを開いたとき、レバー取手を垂直な格納状態から水平な使用状態に揺動することを禁止するので、外装カバーを開くことにより画像形成装置本体の重心が移動し、取手を持った場合に重量バランスが悪くなるようなときには、レバー取手を格納状態から使用状態に揺動することを禁止し、常に画像形成装置本体の運搬を安定的に行なうようにすることができる。
【００５５】
請求項１９に記載の発明によれば、機器の構造体を構成する側板に補強ブラケットを取り付け、その補強ブラケットと側板とでシャフトを支持し、そのシャフトを中心として機器運搬用のレバー取手を、垂直な格納状態と、その状態から重力に抗して先端を引き出した水平な使用状態との間で、揺動自在に保持するので、側板より強度の高い補強ブラケットで、省スペースでレバー取手を堅固に保持することができる。そして、例えばレバー取手の揺動方向と直交する方向の荷重が加わったときにも、構造体に歪みを生ずることなく、例えば画像形成装置にあって画像品質が低下するなどの問題を発生するおそれがない。
【００５６】
請求項２０に記載の発明によれば、補強ブラケットを取り付けるときは、機器の構造体を構成する側板に対し、補強ブラケットを掛け止めて取り付けるようにするので、取り付け取り外し容易とし、取手を備えない機器にあって、外装カバーを取り付けていないときにも、レバー取手を取り付けることにより簡単に移動可能とすることができる。そして、運搬後は、レバー取手を取り外し、取り付いたままでそのレバー取手が邪魔になることを防ぐことができる。
【発明を実施するための最良の形態】
【００５７】
以下、図面を参照しつつ、この発明を実施するための最良の形態につき説明する。
図１および図２には、画像形成装置の一例である電子写真式カラー複写機の外観を、図１では右上から、図２では左上から見て示す。
【００５８】
図示カラー複写機は、複写機本体（画像形成装置本体）１０の後述する構造体６０のまわりを外装カバーで覆ってなる。複写機本体１０には、画像を形成して記録媒体に転写する画像形成部１１０、その下の、記録媒体を収納して順次画像形成部１１０に向けて搬送する媒体収納部１１１、記録済みの記録媒体を排出する胴内排紙部１１２、記録済みの記録媒体の裏面にも記録を行なうときに反転して画像形成部１１０に再給紙する両面装置１１３、原稿画像を読み取る画像読取部１１４、表示パネルや操作釦を有する操作表示部１１５などを備える。
【００５９】
図示複写機本体１０の左側面には外装カバーの下方前後に、右側面には下方後に、凹所を設けて運搬用の掘り込み式取手１１６を有する。また、正面右下には、この発明によるレバー取手保持装置で保持する運搬用のレバー取手１１８を、先端を下向きとした垂直な格納状態と、その状態から重力に抗して先端を引き出した水平な使用状態との間で、揺動自在に保持する。これらの運搬用取手１１６・１１８は、ほぼ同じ高さ位置に設ける。
【００６０】
図３には、上述した図１および図２に示すカラー複写機の複写機本体１０の内部概略構成を示す。
図示するとおり、画像形成部１１０に、４つの作像装置Ａ・Ｂ・Ｃ・Ｄ、一次像担持装置Ｅ、二次像担持装置Ｆ、媒体搬送装置Ｇ、定着装置Ｈ、トナー補給装置Ｊなどを備えている。同様に、図中符号１１１は媒体収納部、１１２は胴内排紙部、１１３は両面装置、１１４は画像読取部である。
【００６１】
４つの作像装置Ａ・Ｂ・Ｃ・Ｄは、それぞれイエロ・マゼンタ・シアン・ブラックの各色のトナーを用いて異なる単色画像を形成するものであり、それぞれ回転可能に支持するドラム状の作像担持体１２をタンデム式に並べて備え、それら各作像担持体１２のまわりに、帯電手段１３、現像手段１４、作像転写手段１５、作像クリーニング手段１６、作像除電手段１７を配置している。そして、それらの作像装置Ａ・Ｂ・Ｃ・Ｄの下には、個々の作像担持体１２上を各別に露光する共通の露光手段１８を設けている。
【００６２】
露光手段１８は、不図示の光源からの光を不図示の光学部品で作像担持体１２の表面に向けて照射し、その作像担持体１２の表面を走査してそれに書込みを行うものである。
【００６３】
一次像担持装置Ｅは、各作像装置Ａ・Ｂ・Ｃ・Ｄで形成した画像をそれぞれ転写して担持するものであり、ベルト状の一次像担持体２０を、各作像担持体１２に接触して、各作像担持体１２とそれに対応する各作像転写手段１５との間を通して３つの一次ローラ２１・２２・２３に掛け回し、まわりに一次クリーニング手段２４、一次転写手段２５を配置している。
【００６４】
二次像担持装置Ｆは、一次像担持装置Ｅで担持する画像を一次転写して担持するものであり、ベルト状の二次像担持体３０を、一次像担持体２０に接触してそれとの間で所定の転写ニップを形成し、その一次像担持体２０と一次転写手段２５との間を通して３つの二次ローラ３２・３３・３４に掛け回し、まわりに二次クリーニング手段３５、二次転写手段３６を配置している。
【００６５】
媒体搬送装置Ｇは、一次像担持装置Ｅと二次像担持装置Ｆ間を通過して図中下方から上方へとのびる媒体搬送路を通して記録媒体Ｐを搬送するものであり、上下二段に備えて各々に記録媒体Ｐを収納する媒体収納容器４０と、その各媒体収納容器４０から各々記録媒体Ｐを順次上から一枚ずつ送り出す供給ローラ４１と、それら送り出した記録媒体Ｐを案内する媒体ガイド４２と、その媒体ガイド４２で案内して搬送する記録媒体Ｐの先端を突き当てて止めるレジストローラ４３と、画像定着後の記録媒体Ｐを案内する排出ガイド４４と、その排出ガイド４４で案内して搬送する記録媒体Ｐを胴内排紙部１１２に向けて矢印ａ方向に排出する２対の排出ローラ４５などを備えている。
【００６６】
定着装置Ｈは、一次像担持装置Ｅおよび二次像担持装置Ｆから記録媒体Ｐに転写した転写画像を定着するものであり、一対の加熱ローラ４７を備えている。また、トナー補給装置Ｊは、各作像装置Ａ・Ｂ・Ｃ・Ｄに粉体ポンプ等を用いて新規トナーを補給するものであり、トナー収納部５２内に各色のトナーカートリッジ５３を備えている。
【００６７】
そして、このカラー複写機で、記録媒体Ｐの表裏両面にカラー画像を形成するときは、画像読取部１１４のコンタクトガラス上に原稿をセットし、操作表示部１１５にあるスタートスイッチを押す。すると、作像担持体１２、一次ローラ２１・２２・２３の一つ、二次ローラ３２・３３・３４の一つ、供給ローラ４１などが、それぞれタイミングを取って回転する。
【００６８】
各作像装置Ａ・Ｂ・Ｃ・Ｄでは、個々の作像担持体１２が図中時計まわりに回転するのにともない、それぞれ各帯電手段１３で表面を一様に帯電し、共通の露光手段１８からの個別の書込み光で書込みを行って色別の潜像を形成し、各現像手段１４で各色のトナーを付着して個々の作像担持体１２上にそれぞれ色別のトナー画像を形成する。
【００６９】
一次像担持装置Ｅでは、一次ローラ２１・２２・２３の１つのローラを回転するとともに他の２つのローラを従動回転し、一次像担持体２０を作像担持体１２に同期して図中反時計まわりに回転搬送し、その一次像担持体２０に、各作像転写手段１５でバイアス電圧を印加してそれぞれ作像担持体１２上のトナー画像を順次転写し、４色重ね合わせた第１のフルカラー画像を形成する。
【００７０】
画像転写後、各作像装置Ａ・Ｂ・Ｃ・Ｄの作像担持体１２は、それぞれ残留トナーを作像クリーニング手段１６で除去し、作像除電手段１７で除電する。その後、再び各帯電手段１３で帯電して露光手段１８で書込みを行い、各現像手段１４で現像して個々の作像担持体１２上にそれぞれ再度色別のトナー画像を形成する。
【００７１】
二次像担持装置Ｆでは、二次ローラ３２・３３・３４の１つのローラを回転するとともに他のローラを従動回転し、二次像担持体３０を一次像担持体２０に同期して図中時計まわりに回転搬送し、その二次像担持体３０に、一次転写手段２５でバイアス電圧を印加して一次像担持体２０上の画像を転写する。このとき、二次クリーニング手段３５は、支軸５６を中心として回動して二次像担持体３０から離れた、非クリーニング状態にある。
【００７２】
画像転写後、一次像担持装置Ｅの一次像担持体２０は、残留トナーを一次クリーニング手段２４で静電的に除去する。その後、再びその一次像担持体２０上に各作像転写手段１５でそれぞれ作像担持体１２上の画像を順次転写し、４色重ね合わせた第２のフルカラー画像を形成する。
【００７３】
画像転写後、各作像装置Ａ・Ｂ・Ｃ・Ｄの作像担持体１２は、それぞれ残留トナーを作像クリーニング手段１６で除去し、作像除電手段１７で除電して次の作像サイクルに備える。
【００７４】
一方、媒体搬送装置Ｇでは、適宜選択的に供給ローラ４１の１つを回転して媒体収納容器４０内の記録媒体Ｐを送り出し、媒体ガイド４２で案内して先端をレジストローラ４３間に突き当てて止め、上述した第１のフルカラー画像および第２のフルカラー画像にタイミングを合わせてレジストローラ４３を回転し、一次像担持体２０と二次像担持体３０間の転写ニップに送り込む。
【００７５】
そして、まず、転写ニップにて記録媒体Ｐの裏面側から一次転写手段２５でバイアス電圧を印加して、一次像担持体２０上の第２のフルカラー画像を記録媒体Ｐの表面に転写し、次いで記録媒体Ｐを若干上方へと搬送したところで表面側から二次転写手段３６でバイアス電圧を印加して、二次像担持体３０上の第１のフルカラー画像を記録媒体Ｐの裏面に転写する。その後、表裏両面に画像転写後の記録媒体Ｐを定着装置Ｈへと導き、一対の加熱ローラ４７を通して熱と圧力とを加えて両面の転写画像を定着し、排出ガイド４４で案内して不図示の切換爪で適宜振り分け、一方の排出ローラ４５で外装カバー１０の外に排出し、胴内排紙部１１２のスタック部５０上に表面を下にしてフェイスダウンでスタックする。
【００７６】
画像転写後、一次像担持装置Ｅの一次像担持体２０は、残留トナーを一次クリーニング手段２４で除去する。また、二次像担持装置Ｆの二次像担持体３０は、予め、二次クリーニング手段３５を支軸５６を中心として回動して二次像担持体３０に接触させてクリーニング状態とし、その二次クリーニング手段３５で残留トナーを除去し、それぞれ次の画像担持に備える。
【００７７】
使用により、各現像手段１４のトナーがなくなったときには、トナー補給装置Ｊのトナー収納部５２の、対応するトナーカートリッジ５３から粉体ポンプ等で搬送して同色のトナーを補給する。また、ジャムにより記録媒体Ｐの搬送が妨げられたときには、両面装置１１３を支軸５５を中心として矢印ｄ方向に開き、媒体搬送路を開放してジャム処理を行う。
【００７８】
このカラー複写機で、記録媒体Ｐの片面にフルカラー画像を形成するときは、作像装置Ａ・Ｂ・Ｃ・Ｄの各作像担持体１２上に形成した画像を一次像担持装置Ｅの一次像担持体２０に転写して後、その画像を二次像担持装置Ｆの二次像担持体３０に転写することなく、媒体搬送装置Ｇで搬送する記録媒体Ｐの片面に順次直接転写するようにする。そして、定着装置Ｈで転写画像を定着し、排出スタック装置Ｉにフェイスダウンで頁順に揃えて排出する。
【００７９】
また、図示カラー複写機で、記録媒体Ｐに二色画像やモノクロ画像を形成するときは、４つの作像装置Ａ・Ｂ・Ｃ・Ｄのうちの対応する色の作像装置を用いて画像を形成し、その画像を一次像担持装置Ｅの一次像担持体２０や二次像担持装置Ｆの二次像担持体３０を介して記録媒体Ｐに転写する。
【００８０】
図４には、そのようなカラー複写機の複写機本体１０内に備える構造体を示す。
図示複写機本体１０の構造体６０は、図示するとおり、箱型をなし、厚さ１．２ｍｍほどの鋼板を用いて強固につくる。そして、その構造体６０で、上述した４つの作像装置Ａ・Ｂ・Ｃ・Ｄ、一次像担持装置Ｅ、二次像担持装置Ｆ、媒体搬送装置Ｇ、定着装置Ｈ、トナー補給装置Ｊなどを正確に位置決めしてしっかりと支持する。そのような構造体６０の正面に設ける前側板６１には、右側縁に、この発明によるレバー取手保持装置６２で保持して、上述したレバー取手１１８を取り付ける。
【００８１】
図５には、レバー取手１１８を保持するレバー取手保持装置６２を分解して示す。
図示するとおり、構造体６０を構成する前側板６１の右側縁には、正面側に向けて外向きに折り曲げて垂直な折曲片部６３を形成する。その折曲片部６３は、全部でもよいが、図示例では板面の一部を内側に凹ませている。そして、その凹ませた部分に、シャフト逃げ孔６４をあける。また、その凹ませた部分の上には、横長の嵌合孔６５をあける。
【００８２】
折曲片部６３の凹ませた部分の外面には、嵌合孔６５に嵌合部６６をはめ付け、第１の補強ブラケット６７を複数の固定ねじ６８を用いて数個所ねじ止めして取り付ける。第１の補強ブラケット６７は、例えば厚さ２ｍｍの高張力鋼板などの板材を用いてつくり、板材の両側を直角に折り曲げて連結板部６９を挟んで両側に平行な対向板部７０を有する断面コの字型に形成する。そして、一対の対向板部７０の対向する位置に、各々シャフト孔７１をあけ、開放する側を正面側に向けて前側板６１の板面に一対の対向板部７０の一方を重ね合わせて取り付ける。
【００８３】
他方、前側板６１の前面には、折曲片部６３の凹ませた部分の内面に端部を当てて、細長板状の補強ステー７３を取付ねじ７４を用いて水平に取り付ける。そして、その補強ステー７３の端部上に片側を折曲片部６３の内面に接触し、その補強ステー７３と前側板６１とにそれぞれねじ止めして第２の補強ブラケット７５を取り付ける。第２の補強ブラケット７５は、例えば高張力鋼板などを用いて断面コの字型につくり、両側にシャフト孔７６を対向してあけ、開放部を上向きとしてそのシャフト孔７６を折曲片部６３のシャフト逃げ孔６４と一致するように取り付ける。
【００８４】
第１の補強ブラケット６７には、シャフト７８を介して運搬用のレバー取手１１８を取り付ける。レバー取手１１８は、鋼板製本体部材８１と樹脂製カバー部材８２とで構成する。本体部材８１は、例えば高張力鋼板などを用いて断面コの字管状につくり、開放部を上向きとして使用し、基端にシャフト孔８３をあける。カバー部材８２は、同じく断面コの字管状につくり、開放部を下向きとして本体部材８１に被せて組付けねじ８４で一体化する。そして、本体部材８１とカバー部材８２とを組み立てて形成したレバー取手１１８は、全体をレバー状として、それを持ったとき、そのレバー取手１１８の本体部材８１の、指が当たる位置を波形状に形成してなる。
【００８５】
シャフト７８は、基端に拡径の頭部８５を持ち、先端部の外周に円周溝８６を設ける。そして、先端を第１の補強ブラケット６７の一方のシャフト孔７１に挿入してから、レバー取手１１８の両シャフト孔８３を貫通し、その後、第１補強ブラケット６７の他方のシャフト孔７１に通してから、折曲片部６３のシャフト逃げ孔６４を貫通し、第２の補強ブラケット７５のシャフト孔７６に入れて頭部８５を外側の対向板部７０の外面に当て、図６に示す状態とする。
【００８６】
その後、第２の補強ブラケット７５に、上から高張力鋼板製などのシャフト押え８８を取り付けて組付けねじ８９で固定し、シャフト押え８８の一部を円周溝８６に入れてシャフト７８の軸方向の動きを規制する。
【００８７】
これにより、レバー取手保持装置６２により、構造体６０を構成する前側板６１に第１の補強ブラケット６７を取り付け、その第１の補強ブラケット６７と前側板６１とでシャフト７８を支持し、そのシャフト７８を中心として運搬用のレバー取手１１８を、先端を下向きに垂れ下げた垂直な格納状態と、その状態から重力に抗して先端を引き出した水平な使用状態との間で、揺動自在に保持する。
【００８８】
そして、通常時、レバー取手１１８は、先端を下向きに垂れ下げ、図１に示すように複写機本体１０内に収納して垂直な格納状態とする。このとき、レバー取手１１８は、カバー部材８２を外側とするので、カバー部材８２を複写機本体１０の外装カバーと面一としたり材質を同じとしたりなどして形状面や材質面などで外観を一体化し、機能的な本体部材８１を覆って違和感を感じないようにする。また、レバー取手１１８の先端を少し外装カバーから突出し、正面から見てレバー取手１１８の存在を簡単に認識できるようにするとともに、先端に指を掛けやすくするとよい。
【００８９】
複写機本体１０を移動するときは、レバー取手１１８の先端に指を掛けて手前に引き出し、先端を持って持ち上げ、シャフト７８を中心として揺動して引き起こし、レバー取手１１８を揺動すると、やがて図７および図８に示すように基端を第１の補強ブラケット６７の突き当て部９０に当て、図９および図１０に示すようにレバー取手１１８を水平にする。そして、そのレバー取手１１８と、他の掘り込み式取手１１６に手を掛けて複写機本体１０を移動する。これにより、強度のある第１の補強ブラケット６７で荷重を受けて構造体６０に歪みを生ずることなく、レバー取手１１８を堅固に保持することができる。また、第２の補強ブラケット７５で、シャフト７８の軸方向と直交する方向の動きを規制することができる。
【００９０】
このとき、レバー取手１１８の揺動方向に加わる荷重は、シャフト７８を介して、強度のある第１の補強ブラケット６７で受けて折曲片部６３に分散して作用させることができる。また、レバー取手１１８の揺動方向と直交する方向に加わる荷重は、第１の補強ブラケット６７および第２の補強ブラケット７５の他、シャフト７８の頭部８５などで受けて外側の対向板部７０が開くことを押えることができる。また、シャフト７８に加わる軸方向の力は頭部８５やシャフト押え８８で押さえ、シャフト７８の倒れは第１の補強ブラケット６７や第２の補強ブラケット７５で押さえることができる。
【００９１】
なお、構造体６０の前側板６１の一側縁に折曲片部６３を設けたが、もちろん両側縁に折曲片部６３を設けて正面の両側にレバー取手１１８を取り付けるようにしてもよいし、前側板６１に限らず、同様に後側板の一側縁もしくは両側縁に、または左右側板の一側縁もしくは両側縁に折曲片部を設けてレバー取手１１８を取り付けるようにしてもよい。また、側板の側縁に限らず、板面の途中を切り起こしてその切り起こし部分に、上述したと同様にレバー取手を取り付けてレバー取手保持装置を設けるようにしてもよい。
【００９２】
また、図示省略するが、画像形成装置本体の外装カバーを開いたときには、例えばストッパ部材が働いて、レバー取手を垂直な格納状態から水平な使用状態に揺動することを禁止するようにするとよい。このようにすると、外装カバーを開くことにより画像形成装置本体の重心が移動し、取手を持った場合に重量バランスが悪くなるようなときには、レバー取手を格納状態から使用状態に揺動することを禁止し、もっとも好ましい状態で画像形成装置本体の運搬を行なうようにすることができる。
【００９３】
さて、上述したようなカラー複写機などにあっては、レバー取手１１８を水平な使用状態としてそれを持って複写機本体１０を移動して後、レバー取手１１８から手を離すと、レバー取手１１８は自動的に重力により格納状態に復帰する。ところが、例えば組立工程途中では、移動後もまたすぐに何度か移動したい場合もあり、そのような場合には、レバー取手１１８をそのまま使用状態で保持することが望ましい。
【００９４】
このようなときのため、図７や図８に示すようにレバー取手１１８を水平な使用状態としたとき、例えば図１１に示すように第１の補強ブラケット６７の一対の対向板部７０間に挿入する保持部材１００を設けるとよい。保持部材１００には、一対の対向板部７０間にはめ込む嵌合部１０１、レバー取手１１８を支持する支持部１０２、構造体６０に突き当てる突当部１０３を設ける。
【００９５】
そして、組立工程途中などで、レバー取手１１８を使用状態で保持したいときには、図１２に示すように、使用状態にあるレバー取手１１８の下に保持部材１００を入れ、保持部材１００の嵌合部１０１を第１の補強ブラケット６７の一対の対向板部７０間にはめ込んで突当部１０３を構造体６０に突き当て、支持部１０２でレバー取手１１８を支持してレバー取手１１８の戻りを阻止する。もちろん、このとき保持部材１００は、レバー取手１１８を持つのに邪魔にならないように取り付ける。それから、ひと通りの作業を終了してレバー取手１１８を格納状態に戻してもよくなったときには、保持部材１００を引き出して嵌合部１０１を一対の対向板部７０間から外し、レバー取手１１８を重力により格納状態へと復帰する。このようにすることにより、組立工程途中などにおける組立作業者等の作業性を向上することができる。
【００９６】
また、構造体６０を外装カバーで被った後にあっても、例えば機械設置時やメンテナンス時にサービスマンが作業を行うとき、レバー取手１１８を使用状態に保持したい場合もある。このような場合にも、図１３に示すように、同様にレバー取手１１８を使用状態としてその下に保持部材１００を入れ、レバー取手１１８の戻りを阻止する。
【００９７】
保持部材１００は、同じように嵌合部と支持部と突当部などを設け、嵌合部を第１の補強ブラケット６７の一対の対向板部７０間にはめ込んで突当部を構造体６０に突き当て、支持部でレバー取手１１８を支持してレバー取手１１８の戻りを阻止するようにすればよい。そして、サービスマンの作業が終了したときは、保持部材１００を引き出してレバー取手１１８を重力により格納状態へと復帰する。このようにすることにより、機械設置時やメンテナンス時などにおけるサービスマンの作業性を向上することができる。
【００９８】
このとき、保持部材１００に、突出してカバー押さえ部１０４を設け、保持部材１００を取り付けたときそのカバー押さえ部１０４で、内部装置やユニットの設置作業を行うときに開く例えば正面カバー１０５を押さえ、保持部材１００を外さなければ、正面カバー１０５を開くことができないようにするとよい。このようにすると、サービスマンが正面カバー１０５を開いて最終的な設置作業を行うとき、保持部材１００を取り外すこととなり、レバー取手１１８の格納状態への戻し忘れをなくすことができる。
【００９９】
正面カバーで説明したが、保持部材１００に設けるカバー押さえ部１０４で、設置作業を行う他のカバーを押さえてその開放を妨げるようにしてもよい。
【０１００】
なお、保持部材１００は、樹脂、またはそれよりソフトなクッション材などでつくり、レバー取手１１８の一部を覆ったり、全体を包んだりすれば、仮に作業者やサービスマンが、使用状態にあるレバー取手１１８に触れるようなことがあったとしても、怪我をするおそれを低減してより安全性を高めることができる。
【０１０１】
ところで、機器本体の持ち運び時に、外装カバーに設けた掘り込み式取手に手を掛けて移動する画像形成装置等の機器にあっては、製造工程途中の外装カバー取り付け前や、メンテナンス時に外装カバーを取り外したときなどに、取手がなくなり、機器の持ち運びが不便となる。不用意に突起物に手を掛けて移動しようとして、機器を破損したり、機器を落下したりするおそれがあった。
【０１０２】
図１４には、そのような場合に用いるに好適なレバー取手保持装置６２を示す。
図示レバー取手保持装置６２には、図１５に示すとおり、補強ブラケット６７と、本体部材８１とカバー部材８２とよりなるレバー取手１１８と、スプリング９２と、シャフト７８と、シャフト押え９３などを設ける。そして、図１５に示すように複写機本体１０の左外装カバーを取り付けていない状態で、所望によりレバー取手１１８を取り付けて、図示するようにレバー取手１１８を引き起こして水平な使用状態とし、そのレバー取手１１８を持って複写機本体１０の運搬を可能とするものである。
【０１０３】
補強ブラケット６７は、上述した前例と同じく、板材を断面コの字状に折り曲げて形成し、対向板部７０に各々シャフト孔７１を対向して有するとともに、上方に２つ、下方に１つの引っ掛け爪９４を設ける。レバー取手１１８の本体部材８１は、基端にシャフト孔８３をあけ、カバー部材８２を被せて組付けねじ８４で一体化する。
【０１０４】
シャフト７８は、補強ブラケット６７の一側から一方の対向板部７０のシャフト孔７１を通して後、本体部材８１のシャフト孔８３を貫通して他方の対向板部７０のシャフト孔７１を通し、先端を補強ブラケット６７の他側に突出する。そして、スプリング９２で先端を補強ブラケット６７の他側から突出する方向に付勢し、シャフト７８の鍔部９５を一方の対向板部７０の板面に押し当てる。そして、補強ブラケット６７にシャフト押え９３をねじ止めしてシャフト７８を押さえ、そのシャフト７８の抜け出しを阻止する。
【０１０５】
そして、このようにレバー取手１１８を揺動自在に支持した補強ブラケット６７を、図１６および図１７に示すように構造体６０の折曲片部６３に取り付ける。折曲片部６３には、大小の孔を連接した逆だるま状のシャフト孔９６と、その上に２つ、下に１つあけた引っ掛け孔９７とを設ける。
【０１０６】
そして、引っ掛け爪９４を引っ掛け孔９７に入れると、シャフト７８の先端がシャフト孔９６の小さい方の孔の孔縁に押し当たる。そこで、シャフト７８をスプリング９２に抗して押し戻しながら、補強ブラケット６７の一方の対向板部７０を折曲片部６３に重ね合わせると、図１８および図１９に示す状態となる。次いで、その状態から補強ブラケット６７を上方に滑らせて図２０および図２１に示すように引っ掛け爪９４を引っ掛け孔９７に掛け止めると、シャフト７８の先端がシャフト孔９６の大きい方の孔に移動し、シャフト７８がスプリング９２の付勢力で戻って先端がその大きな方の孔にはまり込み、レバー取手１１８を揺動自在に支持した補強ブラケット６７を構造体６０に完全に取り付ける。
【０１０７】
そして、複写機本体１０を移動するときは、レバー取手１１８の先端に指を掛けて手前に引き出し、先端を持って持ち上げ、シャフト７８を中心として揺動して引き起こし、レバー取手１１８を揺動すると、やがて基端を第１の補強ブラケット６７の突き当て部に当てて図２２および図２３に示すようにレバー取手１１８を水平にする。そして、そのレバー取手１１８と、他の掘り込み式取手１１６などに手を掛けて複写機本体１０を移動する。これにより、強度のある第１の補強ブラケット６７で荷重を受けて構造体６０に歪みを生ずることなく、レバー取手１１８を堅固に保持することができる。また、第２の補強ブラケット７５で、シャフト７８の軸方向と直交する方向の動きを規制することができる。
【０１０８】
運搬後は、内側からシャフト７８を押してスプリング９２に抗して軸方向に移動し、シャフト孔９６との係合を外して後、補強ブラケット６７を下方へと移動して引っ掛け孔９７に対する引っ掛け爪９４の掛け止めを外し、レバー取手１１８を取り外してレバー取手１１８を取り付けたままとして邪魔にならないようにする。
【０１０９】
以上のとおり、この例では、構造体６０を構成する側板に補強ブラケット６７を掛け止めて取り付けるので、取り付け取り外し容易とし、機器本体の外装カバーに掘り込み式取手などを備える機器にあって、外装カバーを取り付けていないときにも、レバー取手１１８を取り付けることにより簡単に移動可能とすることができる。そして、運搬後は、レバー取手１１８を取り外し、取り付いたままでそのレバー取手１１８が邪魔になることを防ぐことができる。
【図面の簡単な説明】
【０１１０】
【図１】画像形成装置の一例である電子写真式カラー複写機を、右上から見た斜視図である。
【図２】そのカラー複写機を左上から見た斜視図である。
【図３】そのカラー複写機の複写機本体の内部概略構成図である。
【図４】その複写機本体内に備える構造体の斜視図である。
【図５】その構造体に設けるレバー取手保持装置部分の分解斜視図である。
【図６】その部分を別の角度から見た組付け状態斜視図である。
【図７】そのレバー取手保持装置部分の組付け斜視図である。
【図８】その部分を別の角度から見た組付け斜視図である。
【図９】レバー取手を水平な使用状態としたカラー複写機の外観斜視図である。
【図１０】その状態のカラー複写機を別の角度から見た外観斜視図である。
【図１１】組立工程途中で、レバー取手を使用状態に保持する保持部材の取り付けを示すレバー取手保持装置部分の斜視図である。
【図１２】その保持部材取り付け後のレバー取手保持装置部分の斜視図である。
【図１３】機械設置時やメンテナンス時に、保持部材取り付け後のカラー複写機の一部外観斜視図である。
【図１４】外装カバーの１つを取り外した別例の複写機の外観斜視図である。
【図１５】そのレバー取手保持装置の分解斜視図である。
【図１６】レバー取手を取り付けた補強ブラケットの取り付け状態を示す斜視図である。
【図１７】それを別の角度から見た斜視図である。
【図１８】その取り付け後の状態を示す斜視図である。
【図１９】その取り付け後の状態を別の角度から見た斜視図である。
【図２０】その完全に掛け止め後の状態を示す斜視図である。
【図２１】その掛け止め後の状態を別の角度から見た斜視図である。
【図２２】その後、レバー取手を水平な使用状態としたときの斜視図である。
【図２３】その水平な使用状態としたときを別の角度から見た斜視図である。
【符号の説明】
【０１１１】
１０    複写機本体（画像形成装置本体）
６０    構造体
６１    前側板
６２    レバー取手保持装置
６３    前側板の折曲片部
６７    第１の補強ブラケット
６８    固定ねじ
６９    連結板部
７０    対向板部
７１    対向板部のシャフト孔
７３    補強ステー
７５    第２の補強ブラケット
７６    第２の補強ブラケットのシャフト孔
７８    シャフト
８１    レバー取手の本体部材
８２    レバー取手のカバー部材
９０    突き当て部
９４    引っ掛け爪
９７    引っ掛け孔
１１８    レバー取手
【図１】
2006209049.tif 000003
【図２】
2006209049.tif 000004
【図３】
2006209049.tif 000005
【図４】
2006209049.tif 000006
【図５】
2006209049.tif 000007
【図６】
2006209049.tif 000008
【図７】
2006209049.tif 000009
【図８】
2006209049.tif 000010
【図９】
2006209049.tif 000011
【図１０】
2006209049.tif 000012
【図１１】
2006209049.tif 000013
【図１２】
2006209049.tif 000014
【図１３】
2006209049.tif 000015
【図１４】
2006209049.tif 000016
【図１５】
2006209049.tif 000017
【図１６】
2006209049.tif 000018
【図１７】
2006209049.tif 000019
【図１８】
2006209049.tif 000020
【図１９】
2006209049.tif 000021
【図２０】
2006209049.tif 000022
【図２１】
2006209049.tif 000023
【図２２】
2006209049.tif 000024
【図２３】
2006209049.tif 000025